(57)【要約】      （修正有） 【課題】市販のごみ袋に適用して好適な害虫、害鳥、害獣撃退シール及びこのシールセット、並びにその適用品のごみ袋、容器を提供する。【解決手段】害虫、害鳥、害獣撃退シール１は、被含浸紙の表面側に、ハーブと称せられる植物精油を単独又は複数種ブレンドしたものを含浸させ、被含浸紙の裏面側には接着剤を塗布するようにした含浸シートを、容易に剥離可能な台紙に添付して構成される。なお、このシール１には、ｃａｐｓｉｃｕｍのエキス、ガーリックのエキスを含浸させることが望ましく、このシール１を、ごみ袋７の全面又は所定の面部分に、貼着して害虫、害鳥、害獣撃退機能付きのごみ袋６を構成する。【選択図】図５
0003131552.tif 000002
【実用新案登録請求の範囲】
【請求項１】
被含浸紙の表面側に、シトロネラ、シナモン、クローブ、アニス、キャラウェー、ニームオイル、スペアミント、カユプテ、ゼラニウム、パチュリ、テレピン、除虫菊等のハーブと称せられる植物精油を単独又は複数種ブレンドしたものを含浸させ、被含浸紙の裏面側には接着剤を塗布するようにした含浸シートであって、この含浸シ−トの裏面側に接着剤を塗布し、容易に剥離可能な台紙を添付して構成したことを特徴とする害虫、害鳥、害獣撃退シール。
【請求項２】
上記害虫、害鳥、害獣撃退シールを構成する含浸シートとしては、請求項１記載の含浸シートに対して、
さらに、ｃａｐｓｉｃｕｍ（激辛トウガラシ）のエキスを含浸するようにしたことを特徴とする害虫、害鳥、害獣撃退シール。
【請求項３】
上記害虫、害鳥、害獣撃退シールを構成する含浸シートとしては請求項１又は２に記載の被含浸紙に対して、
さらに、ガーリック（ニンニク）のエキスを含浸させて形成するようにしたことを特徴とする害虫、害鳥、害獣撃退シール。
【請求項４】
上記の含浸シートの被含浸紙としては、普通紙又は不織布を用いることを特徴とする害虫、害鳥、害獣撃退シール。
【請求項５】
上記害虫、害鳥、害獣撃退シールの台紙には、その大きさに応じて、縦方向又は横方向に１個又は複数個の切り取り線を設けたことを特徴とする請求項１乃至３のいずれかに記載の害虫、害鳥、害獣撃退シール。
【請求項６】
請求項１〜５のいずれかに記載の複数枚の害虫、害鳥、害獣撃退シールを、チャック付きの１個の合成樹脂製の袋に封入して構成したことを特徴とする害虫、害鳥、害獣撃退シールセット。
【請求項７】
請求項６に記載の合成樹脂製の袋に封入された害虫、害鳥、害獣撃退シールセットから取り出した害虫、害鳥、害獣撃退シールの台紙を剥がして、適用対象のごみ袋又はごみ収納容器に対して貼着する構成にしたことを特徴とする害虫、害鳥、害獣撃退機能付きのごみ袋又はごみ収納容器。
【考案の詳細な説明】
【技術分野】
【０００１】
本考案は、蠅（はえ）、ゴキブリ等の害虫のほか、カラス等の害鳥、猫などの害獣の被害を防止するようにした例えば、生ごみ収納用のごみ袋又はごみ収納容器に使用して好適な害虫、害鳥、害獣撃退シール及びこのシールを収納した害虫、害鳥、害獣撃退シールセット並びにシールを用いて構成される害虫、害鳥、害獣撃退機能を有するごみ袋又はごみ収納容器に関するものである。
【背景技術】
【０００２】
家庭用又は事業者用の燃えるごみ又は燃えないごみを収納するためのごみ袋の従来のものは、例えば、炭酸カルシウムを所定割合混入したポリエチレンシートから成るごみ袋が主流であった。
【０００３】
ところで、この種形態のごみ袋の場合、これらのごみ袋の収納物に生ごみが存在すると、蠅、ゴキブリなどの害虫や、カラスなどの害鳥や猫などの害獣の被害があり、その対策に、主婦や各都道府県の関係者が苦慮しており、適切な対策が求められていた。
このため、特許文献１に記載のようなごみ袋に対して磁気ストライブを形成したものや、特許文献２に記載のようにごみ袋全体にカラスが嫌悪する光沢を有する銀色を施す手段などが提案されている。
【特許文献１】特開平１０−３５８０９
【特許文献２】特開２００２−４６８０２
【考案の開示】
【考案が解決しようとする課題】
【０００４】
ところで、特許文献１に記載のものでは、市販のごみ袋ではなく、特殊なごみ袋の使用が必要であり、また、ごみ袋の製作にあたり磁気ストライブを形成する工程を必要とするため高価な設備投資を必要とするものであり、また、どの程度の磁気量のストライブがカラスの撃退に必要であり、且つ、このごみ袋を使用する者には無害であるかの点について、十分な解析がなされていないという問題点があった。
また、特許文献２に記載のものでも、市販のごみ袋ではなく、特殊なごみ袋を必要とするから、余分な費用を要するという問題点があった。
さらに、上記の問題点は、次回の生ごみの回収日迄に家庭や事業所内に保管される生ごみ保管用のごみ容器についても、解決が求められている問題であった。
本考案では、このような従来技術の問題点を解決するもので、市販のごみ袋を利用して、害虫、害鳥、害獣撃退シール及び害虫、害鳥、害獣撃退シールセット並びに害虫、害鳥、害獣撃退機能を有するごみ袋又は市販の生ごみ保管用の容器を利用して、次回回収日迄の保管用のごみ収納容器を提供することを目的とするものである。
【課題を解決するための手段】
【０００５】
本考案の害虫、害鳥、害獣撃退シールは、上記課題を解決するために、請求項１に記載のものでは、被含浸紙の表面側に、シトロネラ、シナモン、クローブ、アニス、キャラウェー、ニームオイル、スペアミント、カユプテ、ゼラニウム、パチュリ、テレピン、除虫菊等のハーブと称せられる植物精油を単独又は複数種ブレンドしたものを含浸させ、被含浸紙の裏面側には接着剤を塗布するようにした含浸シートであって、この含浸シートの裏面側に接着剤を塗布し、容易に剥離可能な台紙に添付して構成するようにしたことを特徴とする。
【０００６】
なお、害虫、害鳥、害獣撃退シールを構成する含浸シートとしては、請求項２に記載のように、上記被含浸紙に対して、さらに、ｃａｐｓｉｃｕｍ（激辛トウガラシ）のエキスを含浸するようにして形成し、さらに、請求項３に記載のように、請求項１又は請求項２に記載の被含浸紙に対して、さらに、ガーリック（ニンニク）のエキスを含浸させて形成するのが望ましい。
【０００７】
また、害虫、害鳥、害獣撃退シールを構成する含浸シートの被含浸紙としては、請求項４に記載のように、普通紙のほか、不織布を用いることができる。
さらに、請求項５に記載のように、害虫、害鳥、害獣撃退シールの台紙には、その大きさに応じて、縦方向又は横方向に１個又は複数個の切り取り線を設けて構成するのが、実用的である。
【０００８】
なお、この場合、請求項６に記載のように、請求項１〜５のいずれかに記載の複数枚の害虫、害鳥、害獣撃退シールを、チャック付きの１個の合成樹脂製の袋に封入して害虫、害鳥、害獣撃退シールセットとして構成することができる。
【０００９】
また、請求項７に記載のように、請求項６に記載の合成樹脂製の袋に封入された害虫、害鳥、害獣撃退シールセットから取り出した害虫、害鳥、害獣撃退シールを、その台紙を剥がして適用対象の市販のごみ袋又は保管用のごみ収納容器に対して貼着することで害虫、害鳥、害獣撃退機能付きのごみ袋又は保管用のごみ収納容器を構成することができる。
【考案の効果】
【００１０】
本考案の害虫、害鳥、害獣撃退シールによると、次のような優れた効果を有する。
（１）請求項１乃至３に記載の害虫、害鳥、害獣撃退シールは、ごみ袋に対し容易に貼着できる接着剤が塗布され、且つ、使用前の状態では接着剤が機能しないように、容易に剥離可能な台紙が添付されているため、携帯に便利であり、使用者にとって、使い勝手が良く、次に、述べる害虫、害鳥、害獣撃退機能を発揮するものであるから、その実用性は大であるという基本的な商品価値を有する。
（ａ）即ち、請求項１に記載の含浸シートから成る害虫、害鳥、害獣撃退シール（以下撃退シールともいう）の場合は、例えば、生ごみを収納したごみ袋に貼着された撃退シールから出るハーブの薫りにより、蠅、ゴキブリなどの害虫の接近を防止し、殺菌作用を発揮できる。
（ｂ）また、請求項２に記載の含浸シートから成る害虫、害鳥、害獣撃退シールでは、さらに、ｃａｐｓｉｃｕｍ（激辛トウガラシ）のエキスが含浸されているから、ハーブの薫りによる防虫、殺菌作用に加えて、ｃａｐｓｉｃｕｍ（激辛トウガラシ）のエキスから出る異臭が相乗するので、蠅、ゴキブリ等の害虫のほか、カラスなどの害鳥や、猫などの害獣の忌避作用もある。
（ｃ）また、請求項３に記載の含浸シートから成る害虫、害鳥、害獣撃退シールでは、さらに、ガーリック（ニンニク）のエキスを含浸させるように構成したから、ハーブの薫りによる防虫、殺菌作用、ｃａｐｓｉｃｕｍ（激辛トウガラシ）のエキスから出る異臭に加えて、さらに、ガーリック（ニンニク）のエキスから出る異臭が相乗するので、蠅、ゴキブリ等の害虫は勿論、カラスなどの害鳥や、猫などの害獣の忌避作用がさらに、強化される。
【００１１】
（２）請求項４に記載のように、含浸シートの被含浸紙として、普通紙を用いる場合には、請求項１〜３のいずれかに記載のハーブと称せられる植物精油やｃａｐｓｉｃｕｍ（激辛トウガラシ）のエキス、さらに、ガーリック（ニンニク）のエキスを収納したスプレー付きの容器から普通紙の表面側に噴射の方法で含浸させることができるので、含浸処理を容易に行うことができる。
また、含浸シートの被含浸紙として、不織布を用いる場合には、上記の請求項１〜３のいずれかに記載のエキスを収納した含浸液槽に浸すことで含浸処理を行うことができる。
（３）また、請求項５に記載のように、害虫、害鳥、害獣撃退シールの台紙に対して、その台紙を剥がすための切り取り線を、その大きさに応じて、縦方向又は横方向に１個又は複数個設けるようにすれば、適用対象のごみ袋又はごみ収納容器に対して害虫、害鳥、害獣撃退シールを貼着するときに、台紙を剥がす作業を容易に行うことができる。
（４）また、請求項６に記載のように、害虫、害鳥、害獣撃退シールセットとして構成すると、販売にも、携帯にも便利な形態のため、使用者にとって、使い勝手が良く、その実用性は大である。
【００１２】
（４）請求項７に記載のように、害虫、害鳥、害獣撃退シールセットの合成樹脂製の袋から取り出した害虫、害鳥、害獣撃退シールを、上記台紙を剥がして、
適用対象の市販のごみ袋に貼着することで害虫、害鳥、害獣撃退機能付きのごみ袋を構成すると、ごみ袋中に生ごみが収納されていても、撃退シールから発生するハーブの異臭等の機能により、蠅、ゴキブリ、カラス、猫などの各種の害虫、害鳥、害獣を寄せ付けないから、ごみ収集当日にカラス予防のネット等は不要となる。また、カラス等の被害により、ごみ袋内の収納物が道路に散乱する事態が完全に防止できる。
なお、各家庭や事業所で次回の集収日までの生ごみを保管する場合でも、市販のごみ袋を利用した本考案の害虫、害鳥、害獣撃退機能付きのごみ袋を使用するか、又は、上記の害虫、害鳥、害獣撃退シールを貼着せずに市販のごみ袋に生ごみを収納し、本考案の害虫、害鳥、害獣撃退シールを貼着したごみ収納容器に収納して保管することで、蠅、ゴキブリ、カラス、猫などの害虫、害鳥、害獣忌避効果が発揮されるので実用性が大である。
【考案を実施するための最良の形態】
【００１３】
以下本考案を実施する最良の形態としての害虫、害鳥、害獣撃退シール、害虫、害鳥、害獣撃退シールセット及び害虫、害鳥、害獣撃退機能付きのごみ袋の各実施の形態について、図面に基づき説明する。
１．害虫、害鳥、害獣撃退シール
まず、本考案の基本的な実施の形態である害虫、害鳥、害獣撃退シールについて、第１〜第３の基本形態に分けて説明する。
第１の基本形態：
第１の基本形態の害虫、害鳥、害獣撃退シール１は、図１及び図３に示すように、被含浸紙２ａの表面側に、シトロネラ、シナモン、クローブ、アニス、キャラウェー、ニームオイル、スペアミント、カユプテ、ゼラニウム、パチュリ、テレピン、除虫菊等のハーブと称せられる植物精油を単独又は複数種ブレンドしたものを含浸させ、被含浸紙の裏面側には接着剤を塗布するようにした含浸シート２に対して、この含浸シ−ト２の裏面側に接着剤を塗布し、容易に剥離可能な台紙３を添付して構成される。なお、図１に示したものは、特に、本考案が対象とする害虫、害鳥、害獣の内、カラス撃退を目指す実施の形態を示すもので、「カラス撃退シール」という商品名と本考案シールの効用が発揮されてカラスが驚いている図案が記載されているものである。
【００１４】
なお、台紙３には図２に示すように、台紙３の一方側に、例えば、切り取り線３ａを設けることで、後述するように本考案の害虫、害鳥、害獣撃退シール１をごみ袋に貼着するために、台紙３を剥がすときの剥がし口として使用すると便利である。この場合、害虫、害鳥、害獣撃退シールの大きさが大きくなるときには、さらに、台紙３の他方側に、別の切り取り線３ｂも併せ設けることが望ましい。
【００１５】
なお、被含浸紙２ａとしては、普通紙を用いればよく、その場合には、この普通紙である被含浸紙２ａに対して、前記のハーブと称せられる植物精油を単独又は複数種ブレンドした含浸処理液が収納されたスプレー付きの容器（図示せず）からの噴射での含浸処理が可能である。
また、被含浸紙２ａとして、不織布（例えば、麻が１００重量％の不織布又は麻が７０〜８０重量％、パルプが３０〜２０重量％の不織布のほか、市販の各種の不織布を適用できる。）を用いるときは、前記のハーブと称せられる植物精油を単独又は複数種ブレンドした含浸処理液が収容された含浸液槽に浸すことで、含浸処理を行うことができる。
第２の基本形態：
【００１６】
次に、第２の基本形態である本考案の害虫、害鳥、害獣撃退シール１Ａについて説明する。
第２の基本形態の害虫、害鳥、害獣撃退シール１Ａでは、第１の基本形態のものに、含浸処理液として、ｃａｐｓｉｃｕｍ（激辛トウガラシ）のエキスが追加される点を除けば、後は、同様の構成のため、図１〜図３を用いて説明する。
即ち、第２の基本形態の害虫、害鳥、害獣撃退シール１Ａは、図１及び図３に示すように、被含浸紙２ａの表面側に、シトロネラ、シナモン、クローブ、アニス、キャラウェー、ニームオイル、スペアミント、カユプテ、ゼラニウム、パチュリ、テレピン、除虫菊等のハーブと称せられる植物精油を単独又は複数種ブレンドしたものに、さらに、ｃａｐｓｉｃｕｍ（激辛トウガラシ）のエキスを所定量加えて含浸させた上で、被含浸紙の裏面側には接着剤を塗布するようにした含浸シート２に対して、この含浸シ−ト２の裏面に接着剤を塗布し、容易に剥離可能な台紙３を添付して構成すればよい。
【００１７】
この場合、被含浸紙２ａに含浸されるハーブとｃａｐｓｉｃｕｍの各エキスの混合比は、例えば、７：３〜６．５：２．５程度であることが好ましい。
ここで、混合されるｃａｐｓｉｃｕｍのエキスをＨＰＬＣ（高速液体クラマトグラフィ）法で測定したカプサイシン含量で表示される辛み度合いで１〜８％望ましくは、６〜７％の値とするのが適当である。
なお、第２の基本形態の場合も、被含浸紙２ａに対して、ハーブと称せられる植物精油やｃａｐｓｉｃｕｍの各エキスを含浸させる方法は、段落００１５に記載の第１の基本形態の場合と同様の方法で行えばよい。
第３の基本形態：
【００１８】
次に、第３の基本形態である本考案の害虫、害鳥、害獣撃退シール１Ｂ、１Ｃについて説明する。
第３の基本形態の害虫、害鳥、害獣撃退シール１Ｂは、第１の基本形態のものに対して、また撃退シール１Ｃは第２の基本形態のものに対して、夫々含浸処理液としてガーリックエキスが追加される点を除けば、後は、同様の構成のため、図１〜図３を用いて説明する。
即ち、第３の基本形態の害虫、害鳥、害獣撃退シールの１つである１Ｂは、図１及び図３に示すように、被含浸紙２ａの表面側に、第１の基本形態であるシトロネラ、シナモン、クローブ、アニス、キャラウェー、ニームオイル、スペアミント、カユプテ、ゼラニウム、パチュリ、テレピン、除虫菊等のハーブと称せられる植物精油を単独又は複数種ブレンドしたものに、さらに、ガーリック（ニンニク）のエキスを所定量加えたものを含浸させるようにしたものである。後は、同様の構成のため、説明は省略する。
なお、この場合、ハーブとガーリックとの各エキスの混合比は、例えば、６：４程度とすることが好ましい。
第３の基本形態の害虫、害鳥、害獣撃退シールの他の１つである１Ｃは、第２の基本形態のものに対して含浸処理液としてガーリックエキスを追加したものである。ハーブとｃａｐｓｉｃｕｍとガーリックの三者を組み合わせる各エキスの混合比は、例えば、６：２：２程度とすることが好ましい。
２．害虫、害鳥、害獣撃退シールセット
【００１９】
次に、本考案の実用品としての実施の形態である害虫、害鳥、害獣撃退シールセット４の構成について、図４を用いて説明する。
本考案の害虫、害鳥、害獣撃退シールセット４は、図１、図２で説明した害虫、害鳥、害獣撃退シール１、１Ａ、１Ｂ、１Ｃのいずれかのものを複数枚チャック付きの透明な合成樹脂製の袋５内に封入して構成される。
この場合、封入される撃退シールの数は、任意でよいが、販売や使用頻度を考慮して選定するのが望ましい。
なお、５ａは袋５の上端に設けられるチャックである。
この害虫、害鳥、害獣撃退シールセット４は、前記の害虫、害鳥、害獣撃退シールのままでは、害虫、害鳥、害獣撃退機能を発揮するハーブの薫りが外部に発散し易い状態であり、販売や適用場所への携帯に不便な点も考慮し、袋に収納することで、取り扱いを便利なものとしたものである。
なお、この害虫、害鳥、害獣撃退シールセット４の機能については、後述する害虫、害鳥、害獣撃退機能付きのごみ袋の欄で説明する。
３．害虫、害鳥、害獣撃退機能付きのごみ袋
【００２０】
次に、本考案の害虫、害鳥、害獣撃退シールをごみ袋に適用した場合の本考案の害虫、害鳥、害獣撃退機能付きのごみ袋の一実施の形態について図５を用いて説明する。
即ち、本考案の害虫、害鳥、害獣撃退機能付きのごみ袋６は、図５に示すように、従来の市販品のごみ袋７（例えば必要により炭酸カルシウムを３０％程度混入したポリエチレンシート製のもの）に対して、図１〜図３に示す害虫、害鳥、害獣撃退シール１（１Ａ、１Ｂ、１Ｃ）を台紙３から剥がし、市販のごみ袋７の前面又は適当な部分に、１枚貼着するか又はごみ袋が害虫、害鳥、害獣撃退シールに比べて大きい場合（害虫、害鳥、害獣撃退シールがごみ袋に比べ小さい場合も同じ）には、害虫、害鳥、害獣撃退シールを複数枚、貼着するようにして構成すればよい。
【００２１】
なお、図５に示したものは、害虫、害鳥、害獣撃退シール１（１Ａ、１Ｂ、１Ｃ）を市販のごみ袋７に１枚だけ貼着した場合を例示した。
この場合、一つのごみ袋７に貼着される害虫、害鳥、害獣撃退シール１（１Ａ、１Ｂ、１Ｃ）の数は、シールセット４の袋５に、市販のごみ袋７との対応条件を表示するようにすれば、この表示条件に対応して容易に決めることができる。
【００２２】
本考案の害虫、害鳥、害獣撃退シールは、上記の実施の形態に示したものに限定されない。
例えば、上記の実施の形態では、害虫、害鳥、害獣撃退シールの形状としては、図１〜図５に示すような大きさの矩形状のものを示したが、これには限定されない。
【００２３】
さらに、上記の害虫、害鳥、害獣撃退シールを、次回回収日まで生ごみ等を保管するごみ収納容器の内部や外周の適所に貼着することで、害虫、害鳥、害獣撃退機能付きのごみ収納容器を構成するという実施態様も考えられる。
このようにすれば、当該容器内に収納されるごみ袋としては、市販のごみ袋に生ごみを収納しても、蠅、ゴキブリ、猫、カラスなどの被害を蒙ることから予防することができる。
【図面の簡単な説明】
【００２４】
【図１】本考案の害虫、害鳥、害獣撃退シールの一実施の形態を示す平面図である。
【図２】本考案の害虫、害鳥、害獣撃退シールの一実施の形態を示す裏面図である
【図３】図１に示した害虫、害鳥、害獣撃退シールの縦断側面図である。
【図４】本考案の害虫、害鳥、害獣撃退シールセットの一実施の形態を示す平面図である。
【図５】本考案の害虫、害鳥、害獣撃退機能付きのごみ袋の一実施の形態を示す正面図である。
【符号の説明】
【００２５】
１、  １Ａ、１Ｂ、１Ｃ：害虫、害鳥、害獣撃退シール
２ａ：被含浸紙
２：含浸シート
３：台紙
３ａ、３ｂ：切り取り線
４：害虫、害鳥、害獣撃退シールセット
５：合成樹脂製の袋
５ａ：チャック
６：害虫、害鳥、害獣撃退機能付きのごみ袋
７：市販のごみ袋
【図１】
0003131552.tif 000003
【図２】
0003131552.tif 000004
【図３】
0003131552.tif 000005
【図４】
0003131552.tif 000006
【図５】
0003131552.tif 000007
【手続補正書】
【提出日】平成19年2月27日(2007.2.27)
【手続補正１】
【補正対象書類名】実用新案登録請求の範囲
【補正対象項目名】請求項４
【補正方法】変更
【補正の内容】
【請求項４】
上記害虫、害鳥、害獣撃退シールを構成する含浸シートの被含浸紙としては、普通紙又は不織布を用いることを特徴とする請求項１乃至３のいずれかに記載の害虫、害鳥、害獣撃退シール。
【手続補正２】
【補正対象書類名】明細書
【補正対象項目名】００１１
【補正方法】変更
【補正の内容】
【００１１】
（２）請求項４に記載のように、害虫、害鳥、害獣撃退シールを構成する含浸シートの被含浸紙として、普通紙を用いる場合には、請求項１〜３のいずれかに記載のハーブと称せられる植物精油やｃａｐｓｉｃｕｍ（激辛トウガラシ）のエキス、さらに、ガーリック（ニンニク）のエキスを収納したスプレー付きの容器から普通紙の表面側に噴射の方法で含浸させることができるので、含浸処理を容易に行うことができる。
また、含浸シートの被含浸紙として、不織布を用いる場合には、上記の請求項１〜３のいずれかに記載のエキスを収納した含浸液槽に浸すことで含浸処理を行うことができる。
（３）また、請求項５に記載のように、害虫、害鳥、害獣撃退シールの台紙に対して、その台紙を剥がすための切り取り線を、その大きさに応じて、縦方向又は横方向に１個又は複数個設けるようにすれば、適用対象のごみ袋又はごみ収納容器に対して害虫、害鳥、害獣撃退シールを貼着するときに、台紙を剥がす作業を容易に行うことができる。
（４）また、請求項６に記載のように、害虫、害鳥、害獣撃退シールセットとして構成すると、販売にも、携帯にも便利な形態のため、使用者にとって、使い勝手が良く、その実用性は大である。